(57)【要約】      （修正有）【課題】ビーチサンダルのシンプル性を損なうことなしに、台部の後半の部分や天部が足裏から離れることのない合成樹脂サンダルを提供する。【解決手段】ビーチサンダルにおいて、常にサンダルの台部が足裏にぴったりと密着して一体化状態となり、履きやすいし、歩くたびにパタパタと音が出るという問題も解消されるように、足の甲の部分を押さえるゴム状質の甲ベルト４の両端を台部１に取付ける。また、足首後部の窪みに嵌入するゴム状質の横ベルトの両端を台部の前半部に取付けて、足首側にもサンダルの負荷が作用し、サンダルの荷重が足全体に均一に作用することになり、歩行が楽になるように構成する。さらに横ベルトの頂端にＴ字状となるようにゴム状質の鉛直ベルトを一体化し、その下端を台部に取付けて、足裏と天部が常に密着するようにする。【選択図】図６
0003153500.tif 000002
【実用新案登録請求の範囲】
【請求項１】
台部にゴム状質の二股鼻緒と前坪を取付けてなるサンダルにおいて、足の甲の部分を押さえるゴム状質の甲ベルトの両端を台部に取付けてなることを特徴とするサンダル。
【請求項２】
足首後部に嵌入するゴム状質の横ベルトの両端を台部の前半に前下がりに取付けてなることを特徴とする請求項１に記載のサンダル。
【請求項３】
前記横ベルトの足首後部位置の頂端にＴ字状となるようにゴム状質の鉛直ベルトを一体化し、その下端を台部に取付けてなることを特徴とする請求項２に記載のベルト。
【請求項４】
請求項１に記載の甲ベルトと請求項２に記載の横ベルトの取付けベルト部との交差部を一体成型してあること又は前記交差部を一体成型した状態における一体成型部より前方の取付けベルト部が存在しない構成であることを特徴とするサンダル。
【考案の詳細な説明】
【技術分野】
【０００１】
本考案は、足を載せる台の部分が発泡樹脂などの合成樹脂で出来た簡易型のサンダルに関する。ビーチで履くのに適しているのでビーチサンダルと呼ばれることもある。
【背景技術】
【０００２】
通常のビーチサンダルは、発泡樹脂製の台部にゴム状質の二股鼻緒と前坪を取付けたシンプルな構造が特徴で、重宝されている。ところが、台部の天の部分が足裏の踵部から離れて不安定となり、歩行がしづらかったり、砂浜を歩くと砂の中に天部がめり込んでしまって抜けにくかったり、また通常の歩行でも歩く度にパタパタと音がするなど、問題が多い。
【先行技術文献】
【特許文献】
【０００３】
【特許文献１】実公昭63-12723号
【特許文献２】実開昭63−197401号
【考案の概要】
【考案が解決しようとする課題】
【０００４】
これに対し、特許文献１に記載のように、踵部に巻き付ける踵係着帯の両端を鼻緒と連結すると共に、甲部に巻く甲紐を連結する構造が提案されているが、結んだり解いたりするので、履いたり抜いたりする際の操作が複雑かつ面倒で、ビーチサンダルのシンプルさに逆行するという欠点がある。デザイン性にも欠ける。
これに対し、特許文献２に記載のように、通常のビーチサンダルにおいて、台部の後端にゴム紐を取付けておき、このゴム紐に挿通した紐を足首に巻き付けてなる水中サンダルはシンプルではあるが、デザイン的な配慮が足りず、若者がビーチで履くには気後れする。
本考案の技術的課題は、このような問題に着目し、ビーチサンダルのシンプル性を損なうことなしに、台部の後半の部分や天部が足裏から離れて履きづらいという問題を解決することにある。
【課題を解決するための手段】
【０００５】
本考案の技術的課題は次のような手段によって解決される。請求項１は、台部にゴム状質の二股鼻緒と前坪を取付けてなるサンダルにおいて、足の甲の部分を押さえるゴム状質の甲ベルトの両端を台部に取付けてなることを特徴とするサンダルである。
このように、台部にゴム状質の二股鼻緒と前坪を取付けてなるサンダルにおいて、足の甲の部分を押さえるゴム状質の甲ベルトの両端を台部に取付けてあるため、履いた状態において、足の甲の部分がサンダルの台部に甲ベルトで押しつけられた状態となるので、常にサンダルの台部が足裏（特に土踏まず付近）にぴったりと密着し一体化状態となる。その結果、履きやすいし、天部が足裏から離れて、歩くたびにパタパタと音が出るという問題も解消される。
なお、台部は発泡樹脂などのような合成樹脂製が安価であり、しかも適度な弾力があるので、ビーチサンダルとして好適である。しかし、ビーチサンダル以外の用途の場合は、木製などの台部にも適用可能である。
【０００６】
請求項２は、足首後部に嵌入するゴム状質の横ベルトの両端を台部の前半に前下がりに取付けてなることを特徴とする請求項１に記載のサンダルである。
このように、足首後部の窪みに嵌入するゴム状質の横ベルトの両端を台部の前半部に前下がりに取付けてあるため、足首にもサンダルが横ベルトで連結された状態となり、足首側にもサンダルの負荷が作用するので、サンダルの荷重が足全体に均一に作用することになり、歩行が楽になる。しかも、横ベルト両側の前下がり部によってゴム状質の張力が足首後部の窪みに作用するので、足首に対する引っ掛かりが強く、履いている状態のサンダルが容易に抜ける恐れもない。
【０００７】
請求項３は、前記横ベルトの足首後部位置の頂端にＴ字状となるようにゴム状質の鉛直ベルトを一体化し、その下端を台部に取付けてなることを特徴とする請求項２に記載のベルトである。
このように、前記横ベルトの足首後部位置の頂端にＴ字状となるようにゴム状質の鉛直ベルトを一体化し、その下端を台部に取付けてあって、横ベルト頂端とサンダルの天部とが常に鉛直ベルトで連結されて一定間隔の状態になるので、履いた際に足裏（踵部）と天部とが密着状態となって離れ難くなり、一体感が増すため、より履きやすくなる。足裏と天部が常に密着するので、水や砂も入り難い。
しかも、踵の後方に突出した部分が鉛直ベルトで覆われて保護されるので、怪我を防げるという予防効果も奏する。
【０００８】
請求項４は、請求項１に記載の甲ベルトと請求項２に記載の横ベルトの取付けベルト部との交差部（Ｃ）を図６のように一体成型してあること又は前記交差部を一体成型した状態における一体成型部より前方の取付けベルト部が存在しない構成であることを特徴とするサンダル。
このように、請求項１に記載の甲ベルトと請求項２に記載の横ベルトの取付けベルト部との交差部を一体成型してあるため、互いに分離している場合に比べて、構造が簡素化され、見た目にもシンプルでデザイン性も向上し、若者向きになる。
また、このように一体成型した状態では、一体成型部より前方の取付けベルト部は、特別に負荷が作用せず、必ずしも必要では無いので、除去した構造であっても支障は無く、しかもさらにシンプル化される。
以上の各構成において、二股鼻緒と同様に各ベルト部もゴム状質なため、伸縮性に富んでいる上に滑り難いので、足に着脱し易く、かつサンダルの台部と足裏との一体感がゴム状質の張力の作用で増し、履きやすくなる。
【考案の効果】
【０００９】
請求項１のように、足の甲の部分を押さえるゴム状質の甲ベルトの両端を台部に取付けてあって、履いた状態において、足の甲の部分がサンダルの台部に甲ベルトで押しつけられた状態となるので、常にサンダルの台部が足裏（特に土踏まず付近）にぴったりと密着し一体化状態となる。その結果、履きやすいし、天部が足裏から離れて、歩くたびにパタパタと音が出るという問題も解消される。
【００１０】
請求項２のように、足首後部の窪みに嵌入するゴム状質の横ベルトの両端を台部の前半部に前下がりに取付けてあるため、足首にもサンダルが横ベルトで連結された状態となり、足首側にもサンダルの負荷が作用するので、サンダルの荷重が足全体に均一に作用することになり、歩行が楽になる。しかも、横ベルト両側の前下がり部によってゴム状質の張力が足首後部の窪みに作用するので、足首に対する引っ掛かりが強く、履いている状態のサンダルが容易に抜ける恐れもない。
【００１１】
請求項３のように、前記横ベルトの足首後部位置の頂端にＴ字状となるようにゴム状質の鉛直ベルトを一体化し、その下端を台部に取付けてあって、横ベルト頂端とサンダルの天部とが常に鉛直ベルトで連結されて一定間隔の状態になる。その結果、履いた際に足裏と天部とが密着状態となって離れ難くなり、一体感が増すため、より履きやすくなる。足裏と天部が常に密着するので、水や砂も入り難い。また、鉛直ベルトで怪我を防げるという予防効果も奏する。
【００１２】
請求項４のように、請求項１に記載の甲ベルトと請求項２に記載の横ベルトの取付けベルト部との交差部を一体成型してあるため、構造が簡素化され、見た目にもシンプルでデザイン性も向上し、若者向きになる。
また、このように一体成型した状態では、一体成型部より前方の取付けベルト部は除去した構造であっても支障は無く、しかもさらにシンプル化される。
【図面の簡単な説明】
【００１３】
【図１】本考案によるビーチサンダルを後方から見た斜視図で、右足用である。
【図２】図１のビーチサンダルを前方から見た斜視図である。
【図３】図１のビーチサンダルを上から見た平面図である。
【図４】図１のビーチサンダルを内側から見た斜視図である。
【図５】図１のビーチサンダルを履いた状態の斜視図で、左足用である。
【図６】横ベルトの取付けベルト部の甲ベルトとの交差部を一体成型した実施形態を示す斜視図である。
【図７】台部の裏側を示す底面図である。
【図８】（１）は各ベルト先端の台部への取付け部を示す断面図、（２）は各ベルトや二股鼻緒の断面図である。
【考案を実施するための形態】
【００１４】
次に本考案によるサンダルが実際上どのように具体化されるか実施形態を説明する。図１は、本考案によるビーチサンダルを後方から見た斜視図、図２は、図１のビーチサンダルを前方から見た斜視図で、右足用である。ウレタンなどの発泡樹脂製の台部１にゴムやゴム状質の軟質の合成樹脂から成る二股状の鼻緒２と前坪３を取付けた構成で、通常のビーチサンダルと全く同じである。従って、従来のビーチサンダルをそのまま利用して、本考案による改良を加えることができる。
【００１５】
図１、図２のビーチサンダルを上から見ると図３のようになり、内側から見ると図４のようになる。４は甲ベルトで、図５のように履いた際に足の甲の部分５を押さえつける作用をするもので、両端４ａ、４ｂは台部１に取付けられている。
従って、図５のように履いた状態において、甲の部分５が甲ベルト４で台部１に押し着けられて、土踏まず付近が常に台部１と密着するので、歩行する際に一体感が増し、歩きやすくなる。
甲ベルト４の前後方向の取付け位置は一例であって、鎖線で示すように足首の近くに配置することもできるし、足首寄りに設ける場合は、台部１への取付け端を後方に傾斜させる方が履いた際の安定性が増す。
【００１６】
６は横ベルトで、鼻緒２と同様に足の左右両側に延びるように内側部６１と外側部６２で左右一対になっていて、両端６１ｅ、６２ｅは、前記の甲ベルト４の両端と前坪３との中間の位置すなわち台部１の前半部に取付けてある。前下がりに傾斜している横ベルト６の最も高い頂部６３は、足の踵の部分７の上の窪んだ足首８に嵌入することによって、台部１が足の踵側から離れないように引っ掛かるので、サンダルの荷重が足指や甲側だけでなく、足首側にも作用するため、サンダルの荷重が足全体に分散し、長時間履いても疲れにくい。
【００１７】
しかし、浅瀬を歩いたりする場合は、足を上げる場合に、天部１ｔに入り込んだ水の重みで天部１ｔが踵部７から引き離されてしまって一体感が損なわれ、歩きづらいという問題は避けられない。これを防止するために、横ベルト６の足首８の窪みに入り込む頂部６３にＴ字状となるように鉛直ベルト９を接合するか一体化し、その下端９ｅを台部１の後端に取付けてある。
このように鉛直ベルト９が介在することによって、横ベルト６の頂部６３と台部１の天部１ｔ側との間隔が常に一定に保持されるため、天部１ｔに水が入ったり、砂浜で台部がめり込んだりして大量の砂が天部１ｔに入り込んだりした場合でも、天部１ｔだけが踵部７から離れるようなことはなく、常に天部１ｔが踵部７に一体的に追従することになり、一体感が確保される。
また、鉛直ベルト９で踵部７の最も突出した部分が覆われるため、踵部７の保護が可能となり、ビーチなどで怪我をしたりするのを防ぐこともできる。
【００１８】
以上の実施形態では、横ベルト６の左右の取付けベルト６１、６２の先端６１ｅ、６２ｅを台部１に取付けているが、図６のように、取付けベルト６１、６２と甲ベルト４とが交差する位置Ｃで互いに一体成型することによって一体化することもできる。図１〜図５のようにバラバラに分離していると複雑になるが、図６のように一体成型すると、シンプルになる。
こうして一体化すると、一体化部Ｃと先端部６１ｅ、６２ｅとの間の領域は特別の役目を果たさないので、除去することもできる。その結果、さらに簡素化され、先端部６１ｅ、６２ｅの挿入穴を台部１に開ける必要もなく、製造も容易になる。
【００１９】
図７は台部１の裏側であり、ベルトの各取付け端部の抜け止め部１０が現れている。図８（１）は、ベルト先端の台部１への取付け部を示す断面図、（２）は各ベルト４、６１、６２、鉛直ベルト９や二股鼻緒２の断面図である。各ベルト６１、６２の先端には鉛直方向の挿入円柱状部１１を有し、その下端に大径の抜け止め部１０を有しており、かつ一体に成型されている。
台部１には、挿入円柱状部１１を挿入するために、挿入円柱状部１１とほぼ同径の貫通孔を開けると共に、下端には、抜け止め部１０が嵌入できる大径凹部が形成されている。
【００２０】
台部１は、ウレタンゴムなどの発泡樹脂製であって柔軟性に富んでいるため、その貫通孔に大径の抜け止め部１０を強引に挿入すると、小径の貫通孔を押し開けて通過し、大径の座ぐり状の凹部中に嵌入して安定するので、その状態では容易に抜けることがない。
以上の実施形態における二股鼻緒２や各ベルト部は軟質の合成樹脂製で、ゴム状質の弾力に富んでいて、容易に変形でき復元力も富んでいるので、二股鼻緒２や各ベルト部は容易に変形したり伸縮でき、履いたり脱いだりし易い。また、ゴム状質の張力で台部１を足裏に引きつけて吸着した状態となるので、台部１と足裏との一体感が増し、履き心地も向上する。
踵部７を覆う鉛直ベルト９の下端は、足の踵部７の足裏面の曲率に合わせて、台部１の中央に向かって湾曲しているので、履いた際に足裏との間に隙間か生じることはなく、間に異物が入ったりして、怪我をしたり痛みを感じるといった問題は生じない。
【産業上の利用可能性】
【００２１】
以上のように本考案によると、甲ベルトや足首に嵌入する横ベルトやＴ字状の鉛直ベルトを有しているので、ビーチサンダルのシンプル性を損なうことなしに、台部の後半の部分が履いている足裏から離れて履きづらいという問題が解決される。
【符号の説明】
【００２２】
１  台部
２  二股鼻緒
３  前坪
４  甲ベルト
５  足の甲部
６  足首用の横ベルト
６３  足首用横ベルトの頂部
７  足の踵部
８  足首の後部
９  鉛直ベルト
１０  大径の抜け止め部
１１  円柱状の挿入部
【図１】
0003153500.tif 000003
【図２】
0003153500.tif 000004
【図３】
0003153500.tif 000005
【図４】
0003153500.tif 000006
【図５】
0003153500.tif 000007
【図６】
0003153500.tif 000008
【図７】
0003153500.tif 000009
【図８】
0003153500.tif 000010
【手続補正書】
【提出日】平成21年7月12日(2009.7.12)
【手続補正１】
【補正対象書類名】実用新案登録請求の範囲
【補正対象項目名】全文
【補正方法】変更
【補正の内容】
【実用新案登録請求の範囲】
【請求項１】
台部にゴム状質の二股鼻緒と前坪を取付けてなるサンダルにおいて、足の甲の部分を押さえるゴム状質の甲ベルトの両端を台部に取付けてなることを特徴とするサンダル。
【請求項２】
足首後部に嵌入するゴム状質の横ベルトの両端を台部の前半に前下がりに取付けてなることを特徴とする請求項１に記載のサンダル。
【請求項３】
前記横ベルトの足首後部位置の頂端にＴ字状となるようにゴム状質の鉛直ベルトを一体化し、その下端を台部に取付けてなることを特徴とする請求項２に記載のサンダル。
【請求項４】
足の甲の部分を押さえるゴム状質の甲ベルト（４）の取付け両端（４ａ）、（４ｂ）寄りの左右部と、足首後部に嵌入するゴム状質の横ベルト（６）の左右の前下がり傾斜部（６１）（６２）との交差部（Ｃ）を一体成型してあること、又は、前記横ベルト（６）の左右の前下がり傾斜部（６１）（６２）の先端が前記交差部（Ｃ）で一体成型してあることを特徴とするサンダル。
【手続補正２】
【補正対象書類名】明細書
【補正対象項目名】０００８
【補正方法】変更
【補正の内容】
【０００８】
請求項４は、足の甲の部分を押さえるゴム状質の甲ベルト（４）の取付け両端（４ａ）、（４ｂ）寄りの左右部と、足首後部に嵌入するゴム状質の横ベルト（６）の左右の前下がり傾斜部（６１）（６２）との交差部（Ｃ）を一体成型してあること、又は、前記横ベルト（６）の左右の前下がり傾斜部（６１）（６２）の先端が前記交差部（Ｃ）で一体成型してあることを特徴とするサンダルである。
このように、請求項１に記載の甲ベルトと請求項２に記載の横ベルトの取付けベルト部との交差部を一体成型してあるため、互いに分離している場合に比べて、構造が簡素化され、見た目にもシンプルでデザイン性も向上し、若者向きになる。
また、このように一体成型した状態では、一体成型部より前方の取付けベルト部は、特別に負荷が作用せず、必ずしも必要では無いので、除去した構造であっても支障は無く、しかもさらにシンプル化される。
以上の各構成において、二股鼻緒と同様に各ベルト部もゴム状質なため、伸縮性に富んでいる上に滑り難いので、足に着脱し易く、かつサンダルの台部と足裏との一体感がゴム状質の張力の作用で増し、履きやすくなる。